(57)【特許請求の範囲】
【請求項１】
皮膚組織を切開しこの切開部から膿を取り出して該切開部から膿胞内にガーゼタンポンを挿入するガーゼタンポン挿入器において、
前記切開部から膿胞内に挿入可能なチューブと、
このチューブ内に進退自在に挿入され、その先端にはガーゼタンポンを係止する係止部を有したワイヤとを備え、
前記ワイヤをチューブ内で後退させて消毒液が浸されたガーゼタンポンを当該チューブ内に格納し、このチューブを切開部から膿胞内に挿入し、前記ワイヤをチューブ内で進出させてガーゼタンポンを膿胞内に挿入し、チューブを膿胞から後退させてガーゼタンポンの一端を切開部から引き出した状態にして前記係止部からガーゼタンポンを切り離す構成としたことを特徴とするガーゼタンポン挿入器。
【請求項２】
前記チューブに連結されるハンドルを備えたことを特徴とする請求項１記載のガーゼタンポン挿入器。
【請求項３】
少なくともチューブおよびワイヤが可撓性を備えたことを特徴とする請求項１または２記載のガーゼタンポン挿入器。
【発明の詳細な説明】
【０００１】
【発明の属する技術分野】
本発明は、切開部から膿胞内にガーゼタンポンを挿入するための医療用のガーゼタンポン挿入器に関する。
【０００２】
【従来の技術】
一般に、医療手術等では、皮膚組織を切開して切開部から膿を取り出し、該切開部から膿胞内に消毒液を浸したガーゼタンポンを挿入する。このガーゼタンポンは膿がでなくなるまでほぼ毎日交換される。
【０００３】
【発明が解決しようとする課題】
従来、このガーゼタンポンを挿入する場合、一般にゾンデと呼称される金属製のワイヤを用いて、切開部からこのガーゼタンポンを膿胞内に押し込んで挿入しているが、この方法では患者に苦痛を与える。
【０００４】
そこで、本発明の目的は、上述した従来の技術が有する課題を解消し、患者に苦痛を与えることなく、ガーゼタンポンを膿胞内に簡単に挿入することができるガーゼタンポン挿入器を提供することにある。
【０００５】
【課題を解決するための手段】
請求項１記載の発明は、皮膚組織を切開しこの切開部から膿を取り出して該切開部から膿胞内にガーゼタンポンを挿入するガーゼタンポン挿入器において、前記切開部から膿胞内に挿入可能なチューブと、このチューブ内に進退自在に挿入され、その先端にはガーゼタンポンを係止する係止部を有したワイヤとを備え、前記ワイヤをチューブ内で後退させて消毒液が浸されたガーゼタンポンを当該チューブ内に格納し、このチューブを切開部から膿胞内に挿入し、前記ワイヤをチューブ内で進出させてガーゼタンポンを膿胞内に挿入し、チューブを膿胞から後退させてガーゼタンポンの一端を切開部から引き出した状態にして前記係止部からガーゼタンポンを切り離す構成としたことを特徴とする。
【０００６】
本発明では、従来のように、一般にゾンデと呼称されるような金属製のワイヤ等を用いることなく、患者に苦痛を与えることなく、ガーゼタンポンの挿入作業をおこなうことができる。
【０００７】
請求項２記載の発明は、請求項１記載のものにおいて、チューブに連結されるハンドルを備えたことを特徴とする。
【０００８】
本発明では、ハンドルを備えたため、操作性が増し、ガーゼタンポンの挿入作業を簡単におこなうことができる。
【０００９】
請求項３記載の発明は、請求項１記載のものにおいて、少なくともチューブおよびワイヤが可撓性を備えたことを特徴とする。
【００１０】
本発明では、チューブおよびワイヤが可撓性を備えたため、チューブの膿胞内への挿入作業が容易になり、従来に比べて、ガーゼタンポンの挿入作業を簡単におこなうことができる。
【００１１】
【発明の実施の形態】
以下、本発明の一実施形態を、添付図面を参照して説明する。
【００１２】
図１は、本実施形態によるガーゼタンポン挿入器を示す。このガーゼタンポン挿入器１は可撓性を有するチューブ３と、このチューブ３の一端３Ａに連結された可撓性を有するハンドル５と、このハンドル５およびチューブ３の各貫通孔に対し移動自在に挿入され、先端に消毒液に浸されたガーゼタンポン７を係止する係止部９Ａを有したワイヤ９とを備えて構成される。９Ｂはワイヤ９に一体に形成されたつまみである。
【００１３】
このワイヤ９は、ステンレス鋼等からなる細いパイプ９Ｃと、ステンレス鋼等の針金をより合わせてなるワイヤ部９Ｄとを連結して構成される。このワイヤ９は、チューブ３の内径に対し十分に細く形成したが、これに限定されるものではなく、それを太く形成してもよい。
【００１４】
ワイヤ９の係止部９ＡはＵ字状に曲げられ、この係止部９Ａにガーゼタンポン７の一端７Ａを係止した後、この一端７Ａは係止部９Ａに対し、望ましくは接着剤１７で固定される。挿入動作中の脱落を防止するためである。
【００１５】
つぎに、動作を説明する。
【００１６】
図２は、膿胞を有した皮膚組織の一部を示す。皮膚組織１１を切開し、この切開部１１Ａから膿胞１３内の膿を取り出して、該切開部１１Ａから膿胞１３内にガーゼタンポン７を挿入する。
【００１７】
まず、ガーゼタンポン７に消毒液を浸す。ついで、図１に示す状態から、つまみ９Ｂをつまんで、それを引っ張ってワイヤ９を後退させる。この場合、ガーゼタンポン７の他端７Ｂが、チューブ３内に完全に引き込まれるまで、ワイヤ９を後退させる。ガーゼタンポン７の他端７Ｂが、チューブ３内に完全に引き込まれない場合には、チューブ３の他端開口側から細い治具等を用いてガーゼタンポン７を押し込めばよい。
【００１８】
この状態で、図２に示すように、切開部１１Ａから膿胞１３内に、チューブ３の他端３Ｂを挿入し、ついで、つまみ９Ｂを押し込んで、ガーゼタンポン７の一端７Ａが、途中で、チューブ３の外に出ないように注意しながら、ワイヤ９を前進させ、ガーゼタンポン７を膿胞１３内に押し出す。つぎに、チューブ３を膿胞１３から少しずつ後退させ、図３に示すように、ガーゼタンポン７の一端７Ａを、切開部１１Ａから引き出した状態にして、鋏等を用いてカット線１５に沿って一端７Ａを切り離す。
【００１９】
本実施形態では、従来のように、ゾンデと呼称される金属製のワイヤ等を用いることなく、ガーゼタンポン７を膿胞１３内に簡単に挿入することができる。しかも患者に苦痛を与えることなく、ガーゼタンポン７の挿入作業をおこなうことができる等の効果が得られる。
【００２０】
本実施形態では、ハンドル５を備えたため、操作性が増し、ガーゼタンポン７の挿入作業を簡単におこなうことができる。
【００２１】
本実施形態では、チューブ３およびワイヤ９が可撓性を備えたため、チューブ３の膿胞１３内への挿入作業が容易になり、ガーゼタンポン７の挿入作業を簡単におこなうことができる等の種々の効果が得られる。
【００２２】
従って、このガーゼタンポン挿入器１は、特に、ガーゼタンポン７の交換作業が厄介な部位の手術に用いて好適であり、例えば、バルトリン腺膣瘍、乳腺炎等の手術に用いて好適である。
【００２３】
以上、一実施形態に基づいて本発明を説明したが、本発明は、これに限定されるものでないことは明らかである。
【００２４】
【発明の効果】
本発明では、従来のように、一般にゾンデと呼称されるような金属製のワイヤ等を用いることなく、患者に苦痛を与えることなく、ガーゼタンポンの挿入作業をおこなうことができる。
【００２５】
本発明では、ハンドルを備えたため、操作性が増し、ガーゼタンポンの挿入作業を簡単におこなうことができる。
【００２６】
本発明では、チューブおよびワイヤが可撓性を備えたため、チューブの膿胞内への挿入作業が容易になり、従来に比べて、ガーゼタンポンの挿入作業を簡単におこなうことができる等の効果が得られる。
【図面の簡単な説明】
【図１】本発明によるガーゼタンポン挿入器の一実施形態を示す断面図である。
【図２】手術例を示す断面図である。
【図３】手術例を示す断面図である。
【符号の説明】
１  ガーゼタンポン挿入器
３  チューブ
５  ハンドル
７  ガーゼタンポン
９  ワイヤ
９Ａ  係止部
１１  皮膚組織
１３  膿胞
【図１】
0003689350.tif 000002
【図２】
0003689350.tif 000003
【図３】
0003689350.tif 000004